(57)【要約】【課題】輸送時などの振動により取付ボルトの緩みが発生しても、取付ボルトの脱落を防止することのできる換気扇を得ること。【解決手段】換気扇５０は、枠状のフレームの内側に設けられたファンモータ２でファンを回転させる換気扇であって、フレームの内側から外側に向けて貫通するようにフレームの天面に形成されたねじ孔１２ａと、フレームの内側からねじ孔に螺合された取付ボルト１１と、ねじ孔に対して取付ボルトの抜き取り方向に設けられて、取付ボルトの抜き取り方向への移動を規制する受け部１３と、を備え、受け部は、フレームと異なる部材に形成されている。【選択図】図３
2012242069.tif 000002
【特許請求の範囲】
【請求項１】
枠状のフレームの内側に設けられたファンモータでファンを回転させる換気扇であって、
前記フレームの内側から外側に向けて貫通するように前記フレームの天面に形成されたねじ孔と、
前記フレームの内側から前記ねじ孔に螺合された取付ボルトと、
前記ねじ孔に対して前記取付ボルトの抜き取り方向に設けられて、前記取付ボルトの抜き取り方向への移動を規制する受け部と、を備え、
前記受け部は、前記フレームと異なる部材に形成されていることを特徴とする換気扇。
【請求項２】
前記受け部は、前記フレームと前記受け部との距離が前記取付ボルトの全長よりも小さくなる位置に設けられていることを特徴とする請求項１に記載の換気扇。
【請求項３】
前記フレームに対して空気の流入側に取り付けられるオリフィスをさらに備え、
前記受け部は、前記オリフィスに形成されることを特徴とする請求項１または２に記載の換気扇。
【発明の詳細な説明】
【技術分野】
【０００１】
本発明は、本体の上部に設けた取付ボルトを進退させて、壁部等に設けた換気口に取り付けるようにした換気扇に関する。
【背景技術】
【０００２】
従来、壁部等に設けた換気口に取り付けて用いられる換気扇がある。この種の換気扇として、枠状のフレームと、ファンモータと、シャッターと、オリフィスと、羽根とを備えたものが、例えば特許文献１に開示されている。
【０００３】
この換気扇では、枠状のフレームの内部に、ファンモータが設けられる。フレームの室外側には室外側開口を開閉する複数枚のシャッターが設けられる。シャッターは、シャッター連結板を介して換気扇のオンオフスイッチと連動する。
【０００４】
フレームの室内側には風洞となるオリフィスが設けられる。フレームの天面には、円形孔が形成され、その円形孔にはナットが嵌め込まれている。ナットには、フレームの内側から外側に向けて取付ボルトが進退自在に螺合される。
【０００５】
換気扇は、壁部等に設けられた換気口にフレームを挿入させた状態で、取付ボルトを締めこむことで換気口に取り付けられる。取付ボルトを締めこむことで、取付ボルトの先端がフレームの外側に突出し、換気口の内側に当接することで、換気扇が固定される。
【先行技術文献】
【特許文献】
【０００６】
【特許文献１】特開２０００−３０４３１８号公報
【発明の概要】
【発明が解決しようとする課題】
【０００７】
しかしながら、上記従来の技術によれば、ナットに予め螺合させておいた取付ボルトが、輸送時の振動などにより緩んでしまい、取付ボルトが脱落してしまう場合があるという問題があった。取付ボルトが脱落することで、取付ボルトの紛失や、脱落したボルトが衝突して他の部品が破損してしまう場合がある。
【０００８】
本発明は、上記に鑑みてなされたものであって、輸送時などの振動により取付ボルトの緩みが発生しても、取付ボルトの脱落を防止することのできる換気扇を得ることを目的とする。
【課題を解決するための手段】
【０００９】
上述した課題を解決し、目的を達成するために、本発明は、枠状のフレームの内側に設けられたファンモータでファンを回転させる換気扇であって、フレームの内側から外側に向けて貫通するようにフレームの天面に形成されたねじ孔と、フレームの内側からねじ孔に螺合された取付ボルトと、ねじ孔に対して取付ボルトの抜き取り方向に設けられて、取付ボルトの抜き取り方向への移動を規制する受け部と、を備え、受け部は、フレームと異なる部材に形成されていることを特徴とする。
【発明の効果】
【００１０】
本発明によれば、取付ボルトの抜き取り方向への移動を規制する受け部を設けることで、取付ボルトが緩んだ場合でも、取付ボルトと受け部が干渉して取付ボルトの抜き取り方向への移動が規制される。そのため、それ以上の緩みが進行せず、取付ボルトが完全に脱落することを防ぐことができるという効果を奏する。
【図面の簡単な説明】
【００１１】
【図１】図１は、本発明の実施の形態にかかる換気扇の設置状態における分解斜視図である。
【図２】図２は、オリフィスの斜視図である。
【図３】図３は、換気扇の設置状態における断面図である。
【図４】図４は、オリフィス裏側の受け部部分を拡大した部分拡大斜視図である。
【発明を実施するための形態】
【００１２】
以下に、本発明の実施の形態にかかる換気扇を図面に基づいて詳細に説明する。なお、この実施の形態によりこの発明が限定されるものではない。
【００１３】
実施の形態１．
図１は、本発明の実施の形態にかかる換気扇の設置状態における分解斜視図である。図２は、オリフィスの斜視図である。図３は、換気扇の設置状態における断面図である。図４は、オリフィス裏側の受け部部分を拡大した部分拡大斜視図である。
【００１４】
図１に示すように、換気扇５０は、フレーム１、ファンモータ２、ファン３、スピンナー４、オリフィス９を備える。フレーム１は、枠状の形状を呈する。フレーム１は、建物の壁面（壁部１４）に形成された開口（換気扇取付孔１５）に挿入される。
【００１５】
フレーム１のうち、壁部１４に換気扇５０を取り付けた状態で天面となる部分には、内側に向かい円形状に凹ませた円形凹部１０が形成される。円形凹部１０には、孔が形成されており、その孔にナット１２が嵌め込まれている。
【００１６】
ナット１２に形成されたねじ孔１２ａには、フレーム１の内側から外側に向けて取付ボルト１１が進退自在に螺合されている。取付ボルト１１を締め込むことで、取付ボルト１１の先端をフレーム１の外側に突出させることができる。換気扇５０は、取付ボルト１１がナット１２に螺合された状態で出荷される。
【００１７】
なお、円形凹部１０と取付ボルト１１は、フレーム１の左右２箇所に設けられる。また、取付ボルト１１は、ねじ部の反対側がうちわ状に形成されたうちわボルトを採用している。フレーム１を壁部１４に固定する場合には、このうちわ状の部分を手（指）で回して取付ボルト１１を締め込むことが多い。
【００１８】
フレーム１の室外側（空気の流出側）には、室外側開口を開閉する複数のシャッター６が設けられる。シャッター６は、シャッター連結板７を介して、換気扇５０の動作をオンオフするスイッチ８と連動するように設けられる。
【００１９】
ファンモータ２は、フレーム１の内側に設けられる。ファンモータ２には、換気扇５０の動作時に回転する回転軸（シャフト１７）が設けられる。
【００２０】
ファン３は、ファンモータ２のシャフト１７に着脱自在に取り付けられる。ファン３に形成された貫通部３ａにシャフト１７を挿入し、ファン３の前面から突出したシャフト１７にスピンナー４を嵌め込むことで、ファン３はシャフト１７に対して着脱自在に取り付けられる。
【００２１】
オリフィス９は、フレーム１の室内側（空気の流入側）に対して着脱自在に設けられる。オリフィス９は、フレーム１とファン３との隙間を塞いで、室内の空気をファン３に導く風洞として機能する。
【００２２】
図２に示すように、オリフィス９は、正面視においてフレーム１と同様に略矩形の形状を呈している。また、オリフィス９の前面には、通風孔９ａが形成され、外周部にはオリフィス側面としての枠部９ｂが形成されている。また、オリフィス９の裏側には、後方に向けて（フレーム１側に向けて）突出するように受け部１３が形成されている。
【００２３】
受け部１３は、オリフィス９がフレーム１に取り付けられた状態で、ナット１２の下方に位置するように形成されている。また、受け部１３は、オリフィス９がフレーム１に取り付けられた状態で、フレーム１の上側の内側面と受け部１３との距離Ｌ１が、取付ボルト１１の長さＬ２よりも小さくなる位置に形成されている。受け部１３は、フレーム１に嵌め込まれた取付ボルト１１に対応するように、オリフィス９の左右２箇所に形成される。
【００２４】
次に、換気扇５０の壁部１４への取り付け方法について説明する。図３に示すように、壁部１４に形成された換気扇取付孔１５に対して、室内側からフレーム１部分を挿入する。
【００２５】
ここで、換気扇取付孔１５は、フレーム１の外形寸法よりもやや大きめに形成されている。そのため、フレーム１を換気扇取付孔１５に挿入するだけでは、換気扇５０を壁部１４に固定することができない。
【００２６】
そこで、換気扇５０を固定するために、フレーム１の天面に設けられた取付ボルト１１を締め込む。取付ボルト１１を締め込むことで、取付ボルト１１の先端がフレーム１の外側（上方）に突出する。
【００２７】
したがって、取付ボルト１１を締め込むことで、その先端を換気扇取付孔１５の内側面に当接させることができる。さらに取付ボルト１１を締め込むことで、フレーム１の下側部分と取付ボルト１１の先端とを、換気扇取付孔１５の内側面により強固に当接させることができ、換気扇５０を換気扇取付孔１５に固定することができる。
【００２８】
以上説明したように、オリフィス９に設けられた受け部１３が、取付ボルト１１の下部に位置することで、換気扇５０の輸送時に取付ボルト１１が緩んだ場合であっても、取付ボルト１１の脱落を抑えることができる。
【００２９】
また、フレーム１の上側の内側面と受け部１３との距離Ｌ１が、取付ボルト１１の長さ（全長）Ｌ２よりも小さいため、取付ボルト１１が緩んだ際に、取付ボルト１１が完全にナット１２から抜け落ちる前に受け部１３に干渉する。
【００３０】
そのため、取付ボルト１１が受け部１３よりも抜き取り方向に移動することが規制される。これにより、ナット１２から完全に抜け落ちることがなく、より確実に取付ボルト１１の脱落を防ぐことができる。
【００３１】
また、受け部１３が、取付ボルト１１が螺合されるフレーム１とは異なる部材、すなわちオリフィス９に形成されているので、先に取付ボルト１１を螺合させてから、オリフィス９を取り付けて取付ボルト１１の下方に受け部１３を位置させることができる。
【００３２】
一方、フレーム１に受け部１３を形成した場合には、本実施の形態のようにＬ１＜Ｌ２としてしまうと受け部１３が邪魔になって取付ボルト１１をナット１２に螺合させることができなくなってしまう。すなわち、本実施の形態のように、フレーム１とは異なる部材であるオリフィス９に受け部１３を形成することで、Ｌ１＜Ｌ２となる構成を採用して、より確実に取付ボルト１１の脱落を防ぐことができる。
【００３３】
なお、受け部１３は、オリフィス９に形成される場合に限られない。受け部１３は、フレーム１と異なる部材に形成されていれば、先に取付ボルト１１を螺合させてから取付ボルト１１の下方に受け部１３を位置させることができるので、例えばシャッター６などのフレーム１とは異なる部材に形成されていてもよい。
【００３４】
また、ナット１２や取付ボルト１１は、フレーム１の天面に設けられる場合に限られない。フレーム１の側面や底面にナット１２や取付ボルト１１を設けた場合であっても、受け部１３を設けることで、取付ボルト１１の脱落を防ぐことができる。
【産業上の利用可能性】
【００３５】
以上のように、本発明にかかる換気扇は、壁部に形成された換気扇取付孔に取り付けられる換気扇に有用であり、特に、フレームの外側に取付ボルトの先端を突出させて固定される換気扇に適している。
【符号の説明】
【００３６】
１  フレーム
２  ファンモータ
３  ファン
３ａ  貫通部
４  スピンナー
６  シャッター
７  シャッター連結板
８  スイッチ
９  オリフィス
９ａ  通風孔
９ｂ  枠部
１０  円形凹部
１１  取付ボルト
１２  ナット
１２ａ  ねじ孔
１３  受け部
１４  壁部
１５  換気扇取付孔
１７  シャフト
５０  換気扇
Ｌ１  距離
Ｌ２  長さ（全長）
【図１】
2012242069.tif 000003
【図２】
2012242069.tif 000004
【図３】
2012242069.tif 000005
【図４】
2012242069.tif 000006